(57)【要約】【解決手段】次のようにして畳床８に畳表１３を張付ける。型空間の外周縁部に型面６を有する型本体１を用意する。畳表１３の表面部の裏側に畳床８の表部を重ねた重合体２０を型空間に嵌め込むことにより、畳表１３の外周縁部１５を型本体１の型面６と畳床８の外周縁部９との間に挟み込んで畳表１３の表面部に対し折曲して畳表１３の外周縁部１５の裏側を畳床８の外周縁部９に沿わせる。畳表１３の外周縁部１５をさらに畳床８の裏部１１に折曲して畳床８の裏部１１にも沿わせる。畳床８と畳表１３とを押型７により互いに圧接して、畳表１３の表面部の裏側を畳床８の表部に接着剤により接着するとともに、畳表１３の外周縁部１５の裏側を畳床８の外周縁部９及び裏部１１に接着剤により接着する。【効果】畳床８に畳表１３を張付ける場合に、畳表１３の外周縁部１５を畳表１３の表面部に対し折り曲げる作業を型本体１により簡単に行うことができる。【選択図】図３
2009097217.tif 000002
【特許請求の範囲】
【請求項１】
型空間の周縁部に型面を有する型本体において、その型空間に畳表と畳床とを嵌め込むことにより、畳表の表面部の裏側に畳床の表部を重ねるとともにその畳表の周縁部をその型本体の型面と畳床の周縁部との間に挟み込んで畳表の表面部に対し折曲して畳表の周縁部の裏側を畳床の周縁部に沿わせた型入れ状態とし、
この畳床と畳表とを互いに圧接して、畳表の表面部の裏側を畳床の表部に接着剤により接着するとともに、畳表の周縁部の裏側を畳床の周縁部に接着剤により接着する
ことを特徴とする畳床に対する畳表の張付け方法。
【請求項２】
型空間の周縁部に型面を有する型本体において、畳表の表面部の裏側に畳床の表部を重ねた重合体をその型空間に嵌め込み、その畳表の周縁部をその型本体の型面と畳床の周縁部との間に挟み込んで畳表の表面部に対し折曲して畳表の周縁部の裏側を畳床の周縁部に沿わせ、
この畳床と畳表とを互いに圧接して、畳表の表面部の裏側を畳床の表部に接着剤により接着するとともに、畳表の周縁部の裏側を畳床の周縁部に接着剤により接着する
ことを特徴とする畳床に対する畳表の張付け方法。
【請求項３】
型空間の周縁部に型面を有する型本体において、畳表の表面部の裏側に畳床の表部を重ねた重合体をその型空間に嵌め込み、その畳表の周縁部をその型本体の型面と畳床の周縁部との間に挟み込んで畳表の表面部に対し折曲して畳表の周縁部の裏側を畳床の周縁部に沿わせ、
この畳表の周縁部をさらに畳床の裏部に折曲して畳床の裏部にも沿わせ、
この畳床と畳表とを互いに圧接して、畳表の表面部の裏側を畳床の表部に接着剤により接着するとともに、畳表の周縁部の裏側を畳床の周縁部及び裏部に接着剤により接着する
ことを特徴とする畳床に対する畳表の張付け方法。
【請求項４】
前記畳表の周縁部は、その畳表の表面部の周りに沿って形成された第一折り部と、この第一折り部の周りに沿って形成された第二折り部とを有し、この第一折り部の裏側を畳床の周縁部に接着剤により接着するとともに、この第二折り部の裏側を畳床の裏部に接着剤により接着することを特徴とする請求項３に記載の畳床に対する畳表の張付け方法。
【請求項５】
前記第二折り部は複数の切込みにより複数に分断されて形成されていることを特徴とする請求項４に記載の畳床に対する畳表の張付け方法。
【請求項６】
前記型空間に押型を嵌め込むことにより畳床の裏部を圧接することを特徴とする請求項１から請求項５のうちいずれか一つの請求項に記載の畳床に対する畳表の張付け方法。
【発明の詳細な説明】
【技術分野】
【０００１】
本発明は畳床に畳表を張付ける方法に関するものである。
【背景技術】
【０００２】
従来は、図７に示すように、畳表１３の表面部１４の裏側に畳床８を重ねて接着した重合体２０において畳表１３の外周縁部１５を畳床８の外周縁部９及び裏部１１に折り曲げるとともにそれらに接着剤を塗布したりそれらを縫製したりしながら畳床８に畳表１３を張付けて畳２１を製造している。
【発明の開示】
【発明が解決しようとする課題】
【０００３】
しかし、例えば円形状の畳２１等の場合、畳表１３の外周縁部１５は複数の切込み１７により複数に分断されて並設されているため、各外周縁部１５を一枚ずつ順次折り曲げて固定しなければならず、畳床８に畳表１３を張付ける作業が面倒であった。
【０００４】
この発明は、畳床に畳表を張付ける場合に畳表の周縁部を畳表の表面部に対し折り曲げる作業を簡単に行うことを目的としている。
【課題を解決するための手段】
【０００５】
後記実施形態の図面（図１〜５に示す第１実施形態、図６に示す第２実施形態）の符号を援用して本発明を説明する。
請求項１の発明は、第１〜２実施形態に対応し、下記の方法により、畳床に対し畳表を張付ける。
【０００６】
型空間５の周縁部に型面６を有する型本体１を用意する。その型空間５に畳表１３と畳床８とを嵌め込むことにより、畳表１３の表面部１４の裏側に畳床８の表部１０を重ねるとともにその畳表１３の周縁部１５をその型本体１の型面６と畳床８の周縁部９との間に挟み込んで畳表１３の表面部１４に対し折曲して畳表１３の周縁部１５の裏側を畳床８の周縁部９に沿わせた型入れ状態にする。この畳床８と畳表１３とを互いに圧接して、畳表１３の表面部１４の裏側を畳床８の表部１０に接着剤により接着するとともに、畳表１３の周縁部１５の裏側を畳床８の周縁部９に接着剤により接着する。この接着剤については、広義に解釈し、接着機能を有するものすべてを含む。請求項１の発明では、このような型入れ状態にすることにより、畳表１３の周縁部１５を畳表１３の表面部１４に対し簡単に折り曲げることができる。
【０００７】
請求項２の発明は、第１〜２実施形態に対応し、下記の方法により、畳床に対し畳表を張付ける。
型空間５の周縁部に型面６を有する型本体１を用意する。畳表１３の表面部１４の裏側に畳床８の表部１０を重ねた重合体２０をその型空間５に嵌め込むことにより、その畳表１３の周縁部１５をその型本体１の型面６と畳床８の周縁部９との間に挟み込んで畳表１３の表面部１４に対し折曲して畳表１３の周縁部１５の裏側を畳床８の周縁部９に沿わせる。この畳床８と畳表１３とを互いに圧接して、畳表１３の表面部１４の裏側を畳床８の表部１０に接着剤により接着するとともに、畳表１３の周縁部１５の裏側を畳床８の周縁部９に接着剤により接着する。この接着剤も請求項１の発明と同様に広義に解釈する。請求項２の発明では、前記重合体２０を型本体１に嵌め込むため、畳表１３の周縁部１５を畳表１３の表面部１４に対しより一層簡単に折り曲げることができる。
【０００８】
請求項３の発明は、第１〜２実施形態に対応し、下記の方法により、畳床に対し畳表を張付ける。
型空間５の周縁部に型面６を有する型本体１を用意する。畳表１３の表面部１４の裏側に畳床８の表部１０を重ねた重合体２０をその型空間５に嵌め込むことにより、その畳表１３の周縁部１５をその型本体１の型面６と畳床８の周縁部９との間に挟み込んで畳表１３の表面部１４に対し折曲して畳表１３の周縁部１５の裏側を畳床８の周縁部９に沿わせる。この畳表１３の周縁部１５をさらに畳床８の裏部１１に折曲して畳床８の裏部１１にも沿わせる。この畳床８と畳表１３とを互いに圧接して、畳表１３の表面部１４の裏側を畳床８の表部１０に接着剤により接着するとともに、畳表１３の周縁部１５の裏側を畳床８の周縁部９及び裏部１１に接着剤により接着する。この接着剤も請求項１の発明と同様に広義に解釈する。請求項３の発明では、前記重合体２０を型本体１に嵌め込むため、畳表１３の周縁部１５を畳表１３の表面部１４に対しより一層簡単に折り曲げることができる。
【０００９】
請求項３の発明を前提とする請求項４の発明（第１〜２実施形態に対応）において、前記畳表１３の周縁部１５は、その畳表１３の表面部１４の周りに沿って形成された第一折り部１６と、この第一折り部１６の周りに沿って形成された第二折り部１８とを有し、この第一折り部１６の裏側を畳床８の周縁部９に接着剤により接着するとともに、この第二折り部１８の裏側を畳床８の裏部１１に接着剤により接着する。請求項４の発明では、畳表１３の周縁部１５の第一折り部１６を畳表１３の表面部１４に対し簡単に折り曲げることができる。
【００１０】
請求項４の発明を前提とする請求項５の発明（第１実施形態に対応）において、前記第二折り部１８は複数の切込み１７により複数に分断して形成されている。請求項５の発明では、例えば円形状の畳２１等の場合にあっても、畳床８の裏部１１に対し各第二折り部１８を互いに重なることなく容易に接着することができる。
【００１１】
請求項１から請求項５のうちいずれか一つの請求項の発明を前提とする請求項６の発明（第１〜２実施形態に対応）においては、前記型空間５に押型７を嵌め込むことにより畳床８の裏部１１を圧接する。請求項６の発明では、押型７を利用して畳床８と畳表１３との圧接を容易に行うことができる。
【発明の効果】
【００１２】
本発明は、畳床８に畳表１３を張付ける場合に、畳表１３の周縁部１５を畳表１３の表面部１４に対し折り曲げる作業を型本体１により簡単に行うことができる。
【発明を実施するための最良の形態】
【００１３】
まず、本発明の第１実施形態にかかる畳床に対する畳表の張付け方法について図１〜５を参照して説明する。
図１（ａ）（ｂ）に示す型本体１においては、底板２上の両側に案内レール３が取着され、この両案内レール３間に各種の型枠４が着脱可能に挿着されて底板２上に載置される。この型枠４においては、例えば、円形状の型空間５が貫設されてこの型空間５の内周縁部に円環状の型面６が形成され、この型空間５の下側が底板２上により塞がれるとともに、この底板２上に面する型空間５の上側が開放される。図１（ｃ）に示す押型７は円形状に形成された外周縁部７ａを有し、この押型７が前記型枠４の型空間５に嵌め込まれた状態でその型枠４の型面６とこの押型７の外周縁部７ａとの間に若干の隙間が生じるように円環状の型面６の内径よりも押型７の外径が若干小さくなっている。
【００１４】
図２（ａ）（ｂ）に示す畳床８は円形状に形成された外周縁部９を有し、その外周縁部９により囲まれた表部１０と裏部１１とのうち、表部１０の全体に剥離紙１２が接着剤を介して貼られている。この畳床８は従来周知の各種天然素材や各種化学素材により成形されている。
【００１５】
図２（ｃ）（ｄ）に示す畳表１３においては、円形状の表面部１４の外周全体に外周縁部１５が形成されている。その外周縁部１５は、表面部１４の外周全体に沿って一連の帯状に形成された第一折り部１６と、この第一折り部１６の外周全体に沿って複数の切込み１７により複数に分断されて並設された複数の第二折り部１８とを有している。この畳表１３は従来周知の各種天然繊維や各種化学繊維により編織されている。この畳表１３はその表面部１４及び外周縁部１５の裏側全体に接着剤により接着された補強シート１９を有している。
【００１６】
前記畳床８で剥離紙１２を剥がして表部１０の接着剤を露出させた後、図３（ａ）及び図４（ａ）に示すように、前記畳表１３の表面部１４の補強シート１９の全体にこの畳床８の表部１０を重ねると、その表面部１４の補強シート１９と表部１０とが接着剤により仮接着されて畳表１３に畳床８が位置決めされた重合体２０となる。その重合体２０においては、畳床８の外周縁部９の全体から畳表１３の外周縁部１５（第一折り部１６及び第二折り部１８）が突出する。
【００１７】
図３（ｂ）及び図４（ｂ）に示すように、前記重合体２０を前記型本体１の型空間５に対し畳表１３側から嵌め込むと、その畳表１３の外周縁部１５の第一折り部１６がその型本体１の型面６と畳床８の外周縁部９との間に挟み込まれて畳表１３の表面部１４に対し折曲され、その外周縁部１５の第一折り部１６の補強シート１９が畳床８の外周縁部９に沿う。その補強シート１９と外周縁部９とはそれらの間に流し込まれた接着剤により互いに仮接着される。
【００１８】
図３（ｃ）及び図５（ａ）に示すように、前記畳表１３の外周縁部１５の各第二折り部１８をさらに前記畳床８の裏部１１に折曲すると、その外周縁部１５の各第二折り部１８の補強シート１９が畳床８の裏部１１にも沿う。その各第二折り部１８の補強シート１９と裏部１１とはそれらの間に流し込まれた接着剤により互いに仮接着される。
【００１９】
図３（ｄ）及び図５（ｂ）に示すように、前記型空間５に押型７を嵌め込んで畳床８の裏部１１を圧接すると、畳表１３の表面部１４の補強シート１９が畳床８の表部１０に対し接着剤により完全に接着され、畳表１３の外周縁部１５の第一折り部１６の補強シート１９が畳床８の外周縁部９に対し接着剤により完全に接着されるとともに、畳表１３の外周縁部１５の第二折り部１８の補強シート１９が畳床８の裏部１１に対し接着剤により完全に接着される。この第二折り部１８の全体は押型７により畳床８の裏部１１に対し強制的に押し込まれるため、畳床８の裏部１１がほぼ平坦になる。その後、図３（ｅ）に示すように前記型本体１から畳２１を取り出す。この畳２１の畳床８の裏部１１に対し滑止めシート（図示せず）を貼って前記畳表１３の外周縁部１５の各第二折り部１８を隠してもよい。
【００２０】
前述した各接着剤については、広義に解釈し、接着機能を有する周知のものすべてを含み、常温で接着機能を発揮する粘性接着剤であっても、熱により溶けて接着機能を発揮する固形接着剤であってもよく、また、接着剤の供給タイミングや供給方法を適宜変更することができる。
【００２１】
次に、本発明の第２実施形態について第１実施形態との相違点を中心に図６を参照して説明する。
第１実施形態において畳表１３の外周縁部１５の各第二折り部１８は複数の切込み１７により複数に分断されて並設されている。第２実施形態の第二折り部１８については、この各切込み１７が省略され、第一折り部１６の外周全体に沿って一連の帯状に形成されている。そのため、この第二折り部１８を畳床８の裏部１１に折曲すると、この各切込み１７を有していた位置で重なり部１８ａが生じる。この各重なり部１８ａは、押型７により畳床８の裏部１１に対し強制的に押し込まれるとともに、接着剤により畳床８の裏部１１に接着される。この第二折り部１８の全体も押型７により畳床８の裏部１１に対し強制的に押し込まれるため、畳床８の裏部１１がほぼ平坦になる。また、前述したように畳床８の裏部１１に対し滑止めシート（図示せず）を貼った場合には、その滑止めシートによりこの各重なり部１８ａが隠されるとともに畳床８の裏部１１に押さえ付けられる。
【００２２】
第１〜２実施形態においては、畳床８に畳表１３を張付ける場合に、畳表１３に畳床８を重ねて接着した重合体２０を型本体１に嵌め込むと、畳表１３の外周縁部１５を型本体１の型面６と畳床８の外周縁部９との間に挟み込んで畳表１３の表面部１４に対し簡単に折り曲げることができる。従って、例えば円形状の畳２１等の場合にあっても、畳表１３の外周縁部１５を型本体１により折り曲げて、畳表１３の外周縁部１５の第一折り部１６を畳床８の外周縁部９に接着するとともに畳表１３の外周縁部１５の第二折り部１８を畳床８の裏部１１に接着する作業を容易に行うことができる。
【００２３】
前記実施形態以外にも例えば下記のように構成してもよい。
・  型枠４の型空間５の形状を変更する。例えば、型空間５を四角形状ばかりでなく三角形状やドーナツ形状や扇方形状などに変更して、各種異形体の畳２１を成形する。
【００２４】
・  型枠４上に畳表１３を載置するとともにその畳表１３上に畳床８を載置してそれらを互いに重合させ、その畳表１３及び畳床８を型枠４の型空間５に嵌め込む。
・  型枠４の型空間５に畳表１３を嵌め込んだ後、型枠４の型空間５に畳床８を嵌め込み、その型空間５内でこの畳表１３と畳床８とを互いに重合させる。
【００２５】
・  前記畳床８において剥離紙１２により覆われる接着剤を省略し、前記畳表１３の表面部１４の補強シート１９において剥離紙により覆われる接着剤を塗布する。また、この畳床８の剥離紙１２と畳表１３の剥離紙とを共に省略する。
【００２６】
・  前記畳表１３において補強シート１９を省略する。
・  前記畳表１３の外周縁部１５において第二折り部１８を省略する。
【図面の簡単な説明】
【００２７】
【図１】（ａ）は第１実施形態にかかる型本体を示す平面図であり、（ｂ）はその型本体の断面図であり、（ｃ）は第１実施形態にかかる押型を示す平面図である。
【図２】（ａ）は第１実施形態にかかる畳床の裏部を示す平面図であり、（ｂ）はその畳床の部分拡大断面図であり、（ｃ）は第１実施形態にかかる畳表の裏側を示す平面図であり、（ｄ）はその畳表の部分拡大断面図である。
【図３】（ａ）は上記畳表の表面部の裏側に上記畳床の表部を重ねた重合体を示す平面図であり、（ｂ）はその重合体を上記型本体に嵌め込んでこの畳表の外周縁部をこの畳床の外周縁部に折曲した状態を示す平面図であり、（ｃ）は（ｂ）の型本体で畳表の外周縁部を畳床の裏部に折曲した状態を示す平面図であり、（ｄ）は（ｃ）の型本体に押型を嵌め込んだ状態を示す平面図であり、（ｅ）は（ｄ）の型本体から取り出した畳の裏側を示す平面図である。
【図４】（ａ）は図３（ａ）の部分拡大断面図であり、（ｂ）は図３（ｂ）の部分断面図である。
【図５】（ａ）は図３（ｃ）の部分拡大断面図であり、（ｂ）は図３（ｄ）の部分断面図である。
【図６】（ａ）は第２実施形態にかかる畳表を利用した図３（ｃ）相当図であり、（ｂ）はその畳表を利用した畳の裏側を示す図３（ｅ）相当図である。
【図７】（ａ）は従来の畳表の裏側を示す平面図であり、（ｂ）は従来の畳床の裏部を示す平面図であり、（ｃ）はこの畳表の表面部の裏側にこの畳床の表部を重ねた重合体を示す平面図であり、（ｄ）はこの畳表の外周縁部をこの畳床の外周縁部に折曲した状態を示す平面図であり、（ｅ）はこの畳表の外周縁部をこの畳床の裏部にも折曲した状態を示す平面図である。
【符号の説明】
【００２８】
１…型本体、５…型空間、６…型面、７…押型、８…畳床、９…畳床の外周縁部、１０…畳床の表部、１１…畳床の裏部、１３…畳表、１４…畳表の表面部、１５…畳表の外周縁部、１６…畳表の外周縁部の第一折り部、１７…切込み、１８…畳表の外周縁部の第二折り部、２０…重合体。２１…畳。
【図１】
2009097217.tif 000003
【図２】
2009097217.tif 000004
【図３】
2009097217.tif 000005
【図４】
2009097217.tif 000006
【図５】
2009097217.tif 000007
【図６】
2009097217.tif 000008
【図７】
2009097217.tif 000009